(57)【要約】【課題】異なる通信規格の共存を可能にする技術を提供する。【解決手段】  ハンドセットは、２つのアンテナを含んでおり、１つのアンテナが、複数帯域の周波数分割多重信号に専用となっている。第１のアンテナは、アンテナスイッチに接続している。このアンテナスイッチは、さらに、時分割帯域規格のレシーバ及びトランスミッタに接続されている。一方、第２のアンテナは、複数帯域周波数分割多重信号を送受信する。周波数多重フィルタが、該複数帯域周波数分割多重信号を受信し、周波数帯域を分離する。そして、ダイバーシティを提供するべく、該アンテナスイッチは、さらに、１つ又は複数の周波数分割帯域規格用のレシーバに接続している。【選択図】図３
2006174449.tif 000002
【特許請求の範囲】
【請求項１】
ハンドセットであって、
第１のアンテナ１２と、
前記第１のアンテナと、複数の多重時分割帯域規格用のレシーバおよびトランスミッタと、Ｍ個（Ｍ≧１）の周波数分割帯域規格のそれぞれ用のレシーバと、に接続しているアンテナスイッチ１４と、
複数帯域周波数分割多重信号を送受信する第２のアンテナ３０と、
前記第２のアンテナに接続された入力を有し、前記Ｍ個の周波数分割帯域規格を伝送又は送受信する周波数分割フィルタ３２と、
を備える、ハンドセット。
【請求項２】
前記複数の多重時分割帯域規格は、Ｅ−ＧＳＭ、Ｃｅｌｌ、ＤＣＳ、及びＰＣＳを含むグループから選択され、
前記Ｍ個の周波数分割帯域規格は、ＷＣＤＭＡ−９００、ＷＣＤＭＡ−Ｉ、ＷＣＤＭＡ−ＩＩ、ＷＣＤＭＡ−ＩＩＩ、ＷＣＤＭＡ−ＩＶ、及びＷＣＤＭＡ−Ｖを含むグループから選択される、
請求項１に記載のハンドセット。
【請求項３】
Ｍ＝２であり、前記Ｍ個の周波数分割帯域規格は、ＷＣＤＭＡ−Ｉ及びＷＣＤＭＡ−ＩＶである、
請求項２に記載のハンドセット。
【請求項４】
前記Ｍ個の周波数分割帯域規格のそれぞれ用のレシーバ２８は、ＷＣＤＭＡ−Ｉ及びＷＣＤＭＡ−ＩＶを受信する、
請求項３に記載のハンドセット。
【請求項５】
Ｍ＝２であり、前記Ｍ個の周波数分割帯域規格は、ＷＣＤＭＡ−Ｉ及びＷＣＤＭＡ−ＩＩＩである、
請求項２に記載のハンドセット。
【請求項６】
前記ＷＣＤＭＡ−ＩＩＩ周波数分割帯域規格用のレシーバ２０は、ＤＣＳ時分割帯域規格用のレシーバである、
請求項５に記載のハンドセット。
【請求項７】
Ｍ＝３であり、前記Ｍ個の周波数分割帯域規格は、ＷＣＤＭＡ−ＩＩ、ＷＣＤＭＡ−ＩＶ、及びＷＣＤＭＡ−Ｖである、
請求項２に記載のハンドセット。
【請求項８】
前記ＷＣＤＭＡ−ＩＩの周波数分割帯域規格用のレシーバ５４は、ＰＣＳ時分割帯域規格用のレシーバであり、
前記ＷＣＤＭＡ−Ｖの周波数分割帯域規格用のレシーバ２４は、Ｃｅｌｌ時分割帯域規格用のレシーバである、
請求項７記載のハンドセット。
【請求項９】
Ｍ＝２であり、前記Ｍ個の周波数分割帯域規格は、ＷＣＤＭＡ−ＩＩ及びＷＣＤＭＡ−Ｖである、
請求項２に記載のハンドセット。
【請求項１０】
前記ＷＣＤＭＡ−ＩＩの周波数分割帯域規格用のレシーバ５４は、ＰＣＳ時分割帯域規格用のレシーバであり、
前記ＷＣＤＭＡ−Ｖの周波数分割帯域規格用のレシーバ２４は、Ｃｅｌｌ時分割帯域規格用のレシーバである、
請求項９に記載のハンドセット。
【請求項１１】
Ｍ＝４であり、前記Ｍ個の周波数分割帯域規格は、ＷＣＤＭＡ−Ｉ、ＷＣＤＭＡ−ＩＩ、ＷＣＤＭＡ−ＩＶ、及びＷＣＤＭＡ−Ｖである、
請求項２に記載のハンドセット。
【請求項１２】
前記ＷＣＤＭＡ−ＩＩの周波数分割帯域規格用のレシーバ５４は、ＰＣＳ時分割帯域規格用のレシーバであり、
前記ＷＣＤＭＡ−ＩＩＩの周波数分割帯域規格用のレシーバ２０は、ＤＣＳ時分割帯域規格用のレシーバであり、
前記ＷＣＤＭＡ−Ｖの周波数分割帯域規格用のレシーバ２４は、Ｃｅｌｌ時分割帯域規格用のレシーバである、
請求項１１に記載のハンドセット。
【請求項１３】
Ｍ＝５であり、前記Ｍ個の周波数分割帯域規格は、ＷＣＤＭＡ−９００、ＷＣＤＭＡ−Ｉ、ＷＣＤＭＡ−ＩＩＩ、ＷＣＤＭＡ−ＩＶ、及びＷＣＤＭＡ−Ｖである、
請求項２に記載のハンドセット。
【請求項１４】
前記ＷＣＤＭＡ−ＩＩＩの周波数分割帯域規格用のレシーバ２０は、ＤＣＳ時分割帯域規格用のレシーバであり、
前記ＷＣＤＭＡ−Ｖの周波数分割帯域規格用のレシーバ２４は、Ｃｅｌｌ時分割帯域規格用のレシーバであり、
前記ＷＣＤＭＡ−９００の周波数分割帯域規格用のレシーバ４２は、Ｅ−ＧＳＭ時分割帯域規格用のレシーバである、
請求項１３に記載のハンドセット。
【発明の詳細な説明】
【背景技術】
【０００１】
携帯電話システムは、多数の周波数において、多数の規格に従い、世界中で稼働している。通常、それぞれの周波数帯域ごとに複数の規格がサポートされている。サービスプロバイダは、複数の帯域においてサービスすると共に、様々な規格を使用しており、彼らは、自らがサポートしているハンドセット（電話機）が、自らのシステムを通じて使用可能であることを必要とする。一方、ハンドセットの製造者は、多数のサービスプロバイダ用にハンドセットを製造しており、彼らにとっては、自らが提供する無線装置のタイプの数が少ないことが望ましい。
【０００２】
現在使用されている主な規格は、ＧＳＭ（これは、世界中で使用されている）、ＣＤＭＡ（これは、主に北米において使用されており、現在、ＷＣＤＭＡに進化しつつある）、及びＷＣＤＭＡ（これは、現在、世界中で配備されつつある）の３つである。そして、欧州、アジアの大部分、及び／又は北米において使用されている主要な帯域としては、６つのものが存在している。これらは、互いに排他的ではない。そして、これらの帯域において、セル帯域通信の大部分が実行されているけれども、これらの帯域は、代表的なものではあって、世界のどこかで排他的に使用されているものではない。現在生産されているハンドセットは、これらの帯域及び規格の中のなんらかのサブセット（一部）のみをサポートしている。しかしながら、最新の設計においては、これらの帯域及び規格の中の可能な限り多くのものを満足させることが求められている。
【表１】
2006174449.tif 000003
【発明の開示】
【発明が解決しようとする課題】
【０００３】
これらの規格は、相互に互換性のない要件を具備している。このような要件の１つが、複数の帯域及び規格である。ＧＳＭ規格においては、交互に送信及び受信することができる（半二重）。又、ＧＳＭにおいては、周波数分割をも使用しており、送信及び受信部分が周波数によって分離されている。一方、ＣＤＭＡ及びＷＣＤＭＡの場合には、周波数分割のみを使用しており、送受信は同時に実行される（全二重）。又、ＷＣＤＭＡ、ＣＤＭＡ、及びＧＳＭは、或る特定の帯域内において共存することも可能である。欧州においては、ＧＳＭ及びＷＣＤＭＡは、ＤＣＳ帯域において提供されており、ＧＳＭと、恐らくは間もなくＷＤＣＭＡが、Ｅ−ＧＳＭ帯域において提供されることになろう。北米においては、ＧＳＭ、ＣＤＭＡ、及びＷＣＤＭＡは、８５０及びＰＣＳ帯域の両方において提供されている。又、北米においては、ＷＣＤＭＡのみの新しい帯域が登場しつつある（ＷＣＤＭＡ  ＩＶ）。
【０００４】
更なる制約は、全二重規格（ＣＤＭＡ及びＷＣＤＭＡ）と半二重（ＧＳＭ）の違いにある。この違いのために、ハンドセットの送信部分を半二重と全二重間において共有することができない。但し、全二重部分の受信部分の高周波（ＲＦ）部分を、半二重規格が利用することは可能であろう。通常、全二重の伝送路は、半二重に必要とされるものと比べて、高価であり、高い性能を具備しているが、両方の規格をサポートするハンドセットの場合には、共有することが経済的であろう。
【０００５】
ＣＤＭＡとＷＣＤＭＡとの間にも、多数の相違点が存在している。重要な２つの相違点は、ＷＣＤＭＡの方が、データレートが高く、歪の影響を受けやすいということである。ＷＣＤＭＡ用に設計されたフロントエンド（ＲＦ部）のＲＦフィルタ、ＲＦパワー増幅器、及びＲＦ低雑音増幅器は、ＣＤＭＡにも使用可能である。しかし、ハンドセットのベースバンド部分は、異なる要件を具備することになろう。
【０００６】
更なる制約は、現在提供されているものよりも数多くの基地局が構築されない限り、必要な高データレートを実現するには、ＷＣＤＭＡハンドセットに、少なくとも２つのレシーバが必要であるという点である。そして、これらの複数のレシーバは、複数のアンテナを必要とする。
【０００７】
ＷＣＤＭＡの相対的に厳しい干渉特性には、歪の極めて少ないフロントエンドが必要である。具体的には、アンテナとＷＣＤＭＡパワー増幅器との間のあらゆる能動コンポーネントが、歪の原因となり、特にスイッチは、損失を増大させると共に、歪の主要な原因となる。
【０００８】
更なる制約は、北米の帯域が、欧州及びアジアの帯域と互換性を有していないということである。即ち、ＰＣＳ帯域のＴｘ部分（１８５０〜１９１０ＭＨｚ）が、ＤＣＳ帯域のＲｘ部分（１８０５〜１８８０ＭＨｚ）とオーバーラップしている。又、ＰＣＳ帯域のＲｘ部分（１９３０〜１９９０ＭＨｚ）が、ＷＣＤＭＡ−Ｉ帯域のＴｘ部分（１９２０〜１９８０ＭＨｚ）とオーバーラップしている。そして、Ｃｅｌｌ帯域のＲｘ部分（８６９〜８９４ＭＨｚ）が、Ｅ−ＧＳＭ帯域のＴｘ部分（８８０〜９１５ＭＨｚ）とオーバーラップしている。この結果、これらの干渉する帯域は、スイッチングを利用しない限り、同一のアンテナに接続することができない。
【０００９】
図１は、従来技術によるアーキテクチャを示している。このアーキテクチャにおいては、ＧＳＭと共に、１つのＷＣＤＭＡ帯域をサポートしている。従って、このアーキテクチャによっては、マーケットの問題は解決されない。一方、図２の場合には、より解決に近づいてはいるものの、提供されるＷＣＤＭＡのカバレージが世界的に制限されることになる。又、ＷＣＤＭＡ−Ｖ帯域内にスイッチが存在している。このスイッチを実装するのは、困難であり、高価である。
【課題を解決するための手段】
【００１０】
ハンドセットは、２つのアンテナを含んでおり、１つのアンテナが、複数帯域の周波数分割多重信号に専用となっている。第１のアンテナは、アンテナスイッチに接続している。このアンテナスイッチは、さらに、時分割帯域規格のレシーバ及びトランスミッタに接続されている。一方、第２のアンテナは、複数帯域周波数分割多重信号を送受信する。周波数多重フィルタが、該複数帯域周波数分割多重信号を受信し、周波数帯域を分離する。そして、ダイバーシティを提供するべく、該アンテナスイッチは、さらに、１つ又は複数の周波数分割帯域規格用のレシーバに接続している。
【発明を実施するための最良の形態】
【００１１】
図３〜図１３は、２つのアンテナのみを使用することにより、また複雑なスイッチングを導入することなしに、これらの異なる通信規格の共存を可能にする技術を示している。図３及び図４は、世界中で使用可能なアーキテクチャを示しているが、これらは、特に欧州およびアジアに適している。同様に、図５〜図１０は、特に北米に適したアーキテクチャを示しているが、これらも世界中で使用可能である。図１１及び図１２は、欧州を中心としたアーキテクチャを示している。そして、図１３は、真に世界中で使用可能なアーキテクチャを示しているが、この場合にサポートされているのは、４つのＧＳＭ規格に加え、ＷＣＤＭＡ  Ｉ及びＷＣＤＭＡ  ＩＶのみである。
【００１２】
図３、図５、図７、図９、及び図１１に示されているように、いくつかの実施例においては、ＧＳＭ及びＷＣＤＭＡ規格をサポートするレシーバにより、ダイバーシティが提供される。又、図３、図４、図５、図６、及び図１３は、ＷＣＤＭＡ−Ｉ及びＷＣＤＭＡ−ＩＶが、Ｒｘ帯域を共有しており、それゆえ、ハンドセットのＲＦ部分の１つの経路を共有する実施形態を示している。
【００１３】
図３は、本発明の実施例１０Ａを示している。第１のアンテナ１２は、アンテナスイッチ１４に接続している。このアンテナスイッチ１４は、単極７投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＷＣＤＭＡ−ＩＩＩレシーバ２０に接続している。このＷＣＤＭＡ  ＩＩＩレシーバ２０はまた、ＤＣＳ周波数帯域をも受信する。第４投１４４は、ＷＣＤＭＡ−９００レシーバ２２に接続している。このＷＣＤＭＡ−９００レシーバ２２はまた、Ｅ−ＧＳＭ周波数帯域をも受信する。第５投１４５は、ＷＣＤＭＡ−Ｖレシーバ２４に接続している。このＷＣＤＭＡ−Ｖレシーバ２４はまた、Ｃｅｌｌ帯域をも受信する。第６投１４６は、ＰＣＳレシーバ２６に接続している。第７投１４７は、ＷＣＤＭＡ−Ｉ及びＩＶレシーバ２８に接続している。
【００１４】
第２のアンテナ３０は、周波数分割フィルタ３２に接続している。周波数分割フィルタ３２は、ＷＣＤＭＡ  Ｉ及びＩＶレシーバ３４、ＷＣＤＭＡ−Ｉトランスミッタ３６、ＷＣＤＭＡ−ＩＩＩレシーバ３８、ＷＣＤＭＡ  ＩＩＩ及びＩＶトランスミッタ４０、ＷＣＤＭＡ  ９００レシーバ４２、ＷＣＤＭＡ９００トランスミッタ４４、及びＷＣＤＭＡ−Ｖトランスミッタ４６に接続している。
【００１５】
図４は、本発明の実施例１０Ｂを示している。第１のアンテナ１２は、アンテナスイッチ１４に接続している。アンテナスイッチ１４は、単極１０投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＤＣＳレシーバ５０に接続している。第４投１４４は、Ｅ−ＧＳＭレシーバ４８に接続している。第５投１４５は、Ｃｅｌｌレシーバ５２に接続している。第６投１４６は、ＰＣＳレシーバ２６に接続している。第７投１４７は、ＷＣＤＭＡ−Ｉ及びＩＶレシーバ２８に接続している。第８投１４８は、ＷＣＤＭＡ−ＩＩＩレシーバ２０に接続している。第９投１４９は、ＷＣＤＭＡ−９００レシーバ２２に接続している。第１０投１４１０は、ＷＣＤＭＡ−Ｖレシーバ２４に接続している。
【００１６】
第２のアンテナ３０は、周波数分割フィルタ３２に接続している。周波数分割フィルタ３２は、ＷＣＤＭＡ−Ｉ及びＩＶレシーバ３４、ＷＣＤＭＡ−Ｉトランスミッタ３６、ＷＣＤＭＡ−ＩＩＩレシーバ３８、ＷＣＤＭＡ−ＩＩＩ及びＩＶトランスミッタ４０、ＷＣＤＭＡ−９００レシーバ４２、ＷＣＤＭＡ９００トランスミッタ４４、及びＷＣＤＭＡ−Ｖトランスミッタ４６に接続している。
【００１７】
図５は、本発明の実施例を示している。第１のアンテナ１２は、アンテナスイッチ１４に接続している。アンテナスイッチ１４は、単極７投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、Ｅ−ＧＳＭレシーバ４８に接続している。第４投１４４は、ＷＣＤＭＡ−ＩＩＩレシーバ２０に接続している。このＷＣＤＭＡ−ＩＩＩレシーバ２０は、ＤＣＳ周波数帯域を更に受信する。第５投１４５は、ＷＣＤＭＡ−ＩＩレシーバ５４に接続している。このＷＣＤＭＡ−ＩＩレシーバ５４は、ＰＣＳ周波数帯域を更に受信する。第６投１４６は、ＷＣＤＭＡ−Ｖレシーバ２４に接続している。このＷＣＤＭＡ−Ｖレシーバ２４は、さらに、Ｃｅｌｌ帯域を受信する。第７投１４７は、ＷＣＤＭＡ−Ｉ及びＩＶレシーバ２８に接続している。
【００１８】
第２のアンテナ３０は、周波数分割フィルタ３２に接続している。周波数分割フィルタ３２は、ＷＣＤＭＡ−Ｉ及びＩＶレシーバ３４、ＷＣＤＭＡ−Ｉトランスミッタ３６、ＷＣＤＭＡ−ＩＶトランスミッタ５６、ＷＣＤＭＡ−ＩＩトランスミッタ５８、ＷＣＤＭＡ−Ｖレシーバ６０、及びＷＣＤＭＡ−Ｖトランスミッタ４６に接続している。
【００１９】
図６は、本発明の実施例１０Ｄを示している。第１のアンテナ１２は、アンテナスイッチ１４に接続している。アンテナスイッチ１４は、単極９投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、Ｅ−ＧＳＭレシーバ４８に接続している。第４投１４４は、ＤＣＳレシーバ５０に接続している。第５投１４５は、Ｃｅｌｌレシーバ５２に接続している。第６投１４６は、ＰＣＳレシーバ２６に接続している。第７投１４７は、ＷＣＤＭＡ−Ｉ及びＩＶレシーバ２８に接続している。第８投１４８は、ＷＣＤＭＡ−ＩＩレシーバ５４に接続している。第９投１４９は、ＷＣＤＭＡ−Ｖレシーバ２４に接続している。
【００２０】
第２のアンテナ３０は、周波数分割フィルタ３２に接続している。周波数分割フィルタ３２は、ＷＣＤＭＡ−Ｉ及びＩＶレシーバ３４、ＷＣＤＭＡ−Ｉトランスミッタ３６、ＷＣＤＭＡ−ＩＶトランスミッタ５６、ＷＣＤＭＡ−ＩＩトランスミッタ５８、ＷＣＤＭＡ−Ｖレシーバ４６、ＷＣＤＭＡ−Ｖトランスミッタ６０に接続している。
【００２１】
図７は、本発明の実施例１０Ｅを示している。第１のアンテナ１２は、アンテナスイッチ１４に接続している。アンテナスイッチ１４は、単極６投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＤＣＳレシーバ５０に接続している。第４投１４４は、Ｅ−ＧＳＭレシーバ４８に接続している。第５投１４５は、ＷＣＤＭＡ−Ｖレシーバ２４に接続している。このＷＣＤＭＡ−Ｖレシーバは、さらに、Ｃｅｌｌ帯域を受信する。第６投１４６は、ＷＣＤＭＡ−ＩＩレシーバ５４に接続している。このＷＣＤＭＡ−ＩＩレシーバ５４は、さらに、ＰＣＳ帯域を受信する。
【００２２】
第２のアンテナ３０は、周波数分割フィルタ３２に接続している。周波数分割フィルタ３２は、ＷＣＤＭＡ−ＩＩレシーバ６２、ＷＣＤＭＡ−ＩＩトランスミッタ５８、ＷＣＤＭＡ−Ｖレシーバ４６、及びＷＣＤＭＡ−Ｖトランスミッタ６０に接続している。
【００２３】
図８は、本発明の実施例１０Ｆを示している。第１のアンテナ１２は、アンテナスイッチ１４に接続している。アンテナスイッチ１４は、単極８投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＤＣＳレシーバ５０に接続している。第４投１４４は、Ｅ−ＧＳＭレシーバ４８に接続している。第５投１４５は、Ｃｅｌｌレシーバ５２に接続している。第６投１４６は、ＰＣＳレシーバ２６に接続している。第７投１４７は、ＷＣＤＭＡ−Ｖレシーバ２４に接続している。第８投１４８は、ＷＣＤＭＡ−ＩＩレシーバ５４に接続している。
【００２４】
第２のアンテナ３０は、周波数分割フィルタ３２に接続している。周波数分割フィルタ３２は、ＷＣＤＭＡ−ＩＩレシーバ６２、ＷＣＤＭＡ−ＩＩトランスミッタ５８、ＷＣＤＭＡ−Ｖレシーバ４６、及びＷＣＤＭＡ−Ｖトランスミッタ６０に接続している。
【００２５】
図９は、本発明の実施例１０Ｇを示している。第１のアンテナ１２は、アンテナスイッチ１４に接続している。アンテナスイッチ１４は、単極７投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＤＣＳレシーバ５０に接続している。第４投１４４は、Ｅ−ＧＳＭレシーバ４８に接続している。第５投１４５は、ＷＣＤＭＡ−Ｖレシーバ２４に接続している。このＷＣＤＭＡ−Ｖレシーバ２４は、さらに、Ｃｅｌｌ帯域を受信する。第６投１４６は、ＷＣＤＭＡ−ＩＩレシーバ５４に接続している。このＷＣＤＭＡ−ＩＩレシーバ５４は、さらに、ＰＣＳ帯域を受信する。第７投１４７は、ＷＣＤＭＡ−ＩＶレシーバ６４に接続している。
【００２６】
第２のアンテナ３０は、周波数分割フィルタ３２に接続している。周波数分割フィルタ３２は、ＷＣＤＭＡ−ＩＶレシーバ６１、ＷＣＤＭＡ−ＩＶトランスミッタ５６、ＷＣＤＭＡ−ＩＩレシーバ６２、ＷＣＤＭＡ−ＩＩトランスミッタ５８、ＷＣＤＭＡ−Ｖレシーバ４６、及びＷＣＤＭＡ−Ｖトランスミッタ６０に接続している。
【００２７】
図１０は、本発明の実施例１０Ｈを示している。第１のアンテナ１２は、アンテナスイッチ１４に接続している。アンテナスイッチ１４は、単極９投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＤＣＳレシーバ５０に接続している。第４投１４４は、Ｅ−ＧＳＭレシーバ４８に接続している。第５投１４５は、Ｃｅｌｌレシーバ５２に接続している。第６投１４６は、ＰＣＳレシーバ２６に接続している。第７投１４７は、ＷＣＤＭＡ−ＩＶレシーバ６４に接続している。第８投１４８は、ＷＣＤＭＡ−ＩＩレシーバ５４に接続している。第９投１４９は、ＷＣＤＭＡ−Ｖレシーバ２４に接続している。
【００２８】
第２のアンテナ３０は、周波数分割フィルタ３２に接続している。周波数分割フィルタ３２は、ＷＣＤＭＡ−ＩＶレシーバ６６、ＷＣＤＭＡ−ＩＶトランスミッタ５６、ＷＣＤＭＡ−ＩＩレシーバ６２、ＷＣＤＭＡ−ＩＩトランスミッタ５８、ＷＣＤＭＡ−Ｖレシーバ４６、及びＷＣＤＭＡ−Ｖトランスミッタ６０に接続している。
【００２９】
図１１は、本発明の実施例１０Ｉを示している。第１のアンテナ１２は、アンテナスイッチ１４に接続している。アンテナスイッチ１４は、単極７投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＰＣＳレシーバ２６に接続している。第４投１４４は、Ｅ−ＧＳＭレシーバ４８に接続している。第５投１４５は、Ｃｅｌｌレシーバ５２に接続している。第６投１４６は、ＷＣＤＭＡ−ＩＩＩレシーバ２０に接続している。このＷＣＤＭＡ−ＩＩＩレシーバ２０は、さらに、ＤＣＳ帯域を受信する。第７投１４７は、ＷＣＤＭＡ−Ｉレシーバ６８に接続している。
【００３０】
第２のアンテナ３０は、周波数分割フィルタ３２に接続している。周波数分割フィルタ３２は、ＷＣＤＭＡ−Ｉレシーバ３８、ＷＣＤＭＡ−Ｉトランスミッタ７０、ＷＣＤＭＡ−ＩＩＩレシーバ７２、及びＷＣＤＭＡ−ＩＩＩトランスミッタ３６に接続している。
【００３１】
図１２は、本発明の実施例１０Ｊを示している。アンテナスイッチ１４は、単極８投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＰＣＳレシーバ２６に接続している。第４投１４４は、Ｅ−ＧＳＭレシーバ４８に接続している。第５投１４５は、Ｃｅｌｌレシーバ５２に接続している。第６投１４６は、ＤＣＳレシーバ５０に接続している。第７投１４７は、ＷＣＤＭＡ−ＩＩＩレシーバ２０に接続している。第８投１４８は、ＷＣＤＭＡ−Ｉレシーバ６８に接続している。
【００３２】
第２のアンテナ３０は、周波数分割フィルタ３２に接続している。周波数分割フィルタ３２は、ＷＣＤＭＡ−Ｉレシーバ３８、ＷＣＤＭＡ−Ｉトランスミッタ７０、ＷＣＤＭＡ−ＩＩＩレシーバ７２、及びＷＣＤＭＡ−ＩＩＩトランスミッタ３６に接続している。
【００３３】
図１３は、本発明の実施例１０Ｋを示している。第１のアンテナ１２は、アンテナスイッチ１４に接続している。アンテナスイッチ１４は、単極７投スイッチと等価に機能する。第１投１４１は、Ｅ−ＧＳＭ／Ｃｅｌｌトランスミッタ１６に接続している。第２投１４２は、ＤＣＳ／ＰＣＳトランスミッタ１８に接続している。第３投１４３は、ＰＣＳレシーバ２６に接続している。第４投１４４は、Ｅ−ＧＳＭレシーバ４８に接続している。第５投１４５は、Ｃｅｌｌレシーバ５２に接続している。第６投１４６は、ＤＣＳレシーバ５０に接続している。第７投１４７は、ＷＣＤＭＡ−Ｉ及びＩＶレシーバ２８に接続している。
【００３４】
第２のアンテナ３０は、周波数分割フィルタ３２に接続している。周波数分割フィルタ３２は、ＷＣＤＭＡ−Ｉ及びＩＶレシーバ３４、ＷＣＤＭＡ−Ｉトランスミッタ５６、及びＷＣＤＭＡ−ＩＶトランスミッタ３６に接続している。
【００３５】
以上において開示したそれぞれの実施例においては、第２のアンテナは、周波数分割フィルタに接続される。周波数分割フィルタの一例は、２００４年７月２６日付けで出願され、Ａｇｉｌｅｎｔ  Ｔｅｃｈｎｏｌｏｇｉｅｓ社に譲渡されたＢｒａｄｌｅｙ他による「Ｍｏｄｕｌａｒ  Ｆｒｅｑｕｅｎｃｙ  Ｄｉｖｉｓｉｏｎ  Ｆｉｌｔｅｒ」という名称の米国特許出願第１０／８９９５５６号明細書に開示されている。この開示されているモジュラー式周波数分割フィルタにおいては、受信した信号を周波数によって分離するべく、それぞれの伝送経路が、帯域通過フィルタ又は送受切換機(duplexer)のいずれかを含んでいる。又、周波数分離を更に改善するべく、周波数位相シフタ又はシャントインダクタ(shunt inductor)を含むことも可能である。そして、この周波数分離の後に、分離された信号は、個別の該分離周波数で動作する装置によって送受信される。
【図面の簡単な説明】
【００３６】
【図１】従来技術による複数帯域ハンドセットを示す図。
【図２】主に北米用の従来技術による複数帯域ハンドセットを示す図。
【図３】本発明の複数帯域ハンドセットを示す図。
【図４】本発明の複数帯域ハンドセットを示す図。
【図５】本発明の複数帯域ハンドセットを示す図。
【図６】本発明の複数帯域ハンドセットを示す図。
【図７】本発明の複数帯域ハンドセットを示す図。
【図８】本発明の複数帯域ハンドセットを示す図。
【図９】本発明の複数帯域ハンドセットを示す図。
【図１０】本発明の複数帯域ハンドセットを示す図。
【図１１】本発明の複数帯域ハンドセットを示す図。
【図１２】本発明の複数帯域ハンドセットを示す図。
【図１３】本発明の複数帯域ハンドセットを示す図。
【符号の説明】
【００３７】
１２  第１のアンテナ
１４  アンテナスイッチ
３０  第２のアンテナ
３２  周波数分割フィルタ
【図１】
2006174449.tif 000004
【図２】
2006174449.tif 000005
【図３】
2006174449.tif 000006
【図４】
2006174449.tif 000007
【図５】
2006174449.tif 000008
【図６】
2006174449.tif 000009
【図７】
2006174449.tif 000010
【図８】
2006174449.tif 000011
【図９】
2006174449.tif 000012
【図１０】
2006174449.tif 000013
【図１１】
2006174449.tif 000014
【図１２】
2006174449.tif 000015
【図１３】
2006174449.tif 000016